(57)【要約】【課題】基地局の増設によるネットワークの再構成を自動で行うことが可能な無線ＬＡＮネットワークを提供する。【解決手段】基地局（＃１，＃２）１ａ，１ｂは、予め設定された一定回数以上、同じ基地局からのビーコンを受信すると、新たな基地局（＃３）１ｃが設置されたと判断し、その基地局（＃３）１ｃの情報を新規に登録し、登録を完了したら帰属している端末局（＃１〜＃３）１ａ，１ｂ，１ｃの帰属を解除する。端末局（＃１〜＃３）１ａ，１ｂ，１ｃでは基地局（＃１，＃２）１ａ，１ｂへの帰属が解除されると、新たに帰属を行おうとする。【選択図】      図１
2004274100.tif 000002
【特許請求の範囲】
【請求項１】
無線ＬＡＮ（Ｌｏｃａｌ  Ａｒｅａ  Ｎｅｔｗｏｒｋ）によって構成され、複数の端末局各々が複数の基地局各々に帰属して通信を行う無線ＬＡＮネットワークであって、他の基地局の増設を判断する手段と、前記他の基地局が増設されたと判断した時に前記端末局の帰属状態を解除する手段とを前記基地局に有することを特徴とする無線ＬＡＮネットワーク。
【請求項２】
前記複数の基地局各々が同一サブネット上にあることを特徴とする請求項１記載の無線ＬＡＮネットワーク。
【請求項３】
前記他の基地局の増設を判断する手段は、前記同一サブネット上に増設された他の基地局から送信されるビーコンを受信して当該他の基地局が増設されたと判断することを特徴とする請求項２記載の無線ＬＡＮネットワーク。
【請求項４】
前記端末局は、前記基地局への帰属状態が解除された後に最も受信条件のよい基地局を選んで再帰属を行うことを特徴とする請求項１から請求項３のいずれか記載の無線ＬＡＮネットワーク。
【請求項５】
無線ＬＡＮ（Ｌｏｃａｌ  Ａｒｅａ  Ｎｅｔｗｏｒｋ）によって構成される無線ＬＡＮネットワークにおいて、複数の端末局各々が帰属して通信を行うための基地局であって、前記無線ＬＡＮネットワークへの他の基地局の増設を判断する手段と、前記他の基地局が増設されたと判断した時に前記端末局の帰属状態を解除する手段とを有することを特徴とする基地局。
【請求項６】
前記他の基地局が同一サブネット上にあることを特徴とする請求項５記載の基地局。
【請求項７】
前記他の基地局の増設を判断する手段は、前記同一サブネット上に増設された他の基地局から送信されるビーコンを受信して当該他の基地局が増設されたと判断することを特徴とする請求項６記載の基地局。
【請求項８】
無線ＬＡＮ（Ｌｏｃａｌ  Ａｒｅａ  Ｎｅｔｗｏｒｋ）によって構成され、複数の端末局各々が複数の基地局各々に帰属して通信を行う無線ＬＡＮネットワークの構築方法であって、前記基地局側に、他の基地局の増設を判断するステップと、前記他の基地局が増設されたと判断した時に前記端末局の帰属状態を解除するステップとを有することを特徴とする無線ＬＡＮネットワークの構築方法。
【請求項９】
前記複数の基地局各々が同一サブネット上にあることを特徴とする請求項８記載の無線ＬＡＮネットワークの構築方法。
【請求項１０】
前記他の基地局の増設を判断するステップは、前記同一サブネット上に増設された他の基地局から送信されるビーコンを受信して当該他の基地局が増設されたと判断することを特徴とする請求項９記載の無線ＬＡＮネットワークの構築方法。
【請求項１１】
前記端末局が、前記基地局への帰属状態が解除された後に最も受信条件のよい基地局を選んで再帰属を行うことを特徴とする請求項８から請求項１０のいずれか記載の無線ＬＡＮネットワークの構築方法。
【請求項１２】
無線ＬＡＮ（Ｌｏｃａｌ  Ａｒｅａ  Ｎｅｔｗｏｒｋ）によって構成され、複数の端末局各々が複数の基地局各々に帰属して通信を行う無線ＬＡＮネットワークの構築方法のプログラムであって、コンピュータに、他の基地局の増設を判断する処理と、前記他の基地局が増設されたと判断した時に前記端末局の帰属状態を解除する処理とを実行させるためのプログラム。
【発明の詳細な説明】
【０００１】
【発明の属する技術分野】
本発明は無線ＬＡＮネットワーク、基地局及びそれに用いる無線ＬＡＮネットワークの構築方法に関し、特に無線ＬＡＮ（Ｌｏｃａｌ  Ａｒｅａ  Ｎｅｔｗｏｒｋ）ネットワークの構築方法に関する。
【０００２】
【従来の技術】
従来、無線ＬＡＮネットワークにおいては、基地局に帰属している端末局の数が多く、アクセス負荷が多大となった場合、端末局の帰属先を他の基地局に切替える方法が採られている。
【０００３】
この切替え方法としては、端末局が複数の基地局のうちの任意の基地局に帰属可能なＣＳＭＡ／ＣＡ（Ｃａｒｒｉｅｒ  Ｓｅｎｓｅ  Ｍｕｌｔｉｐｌｅ  Ａｃｃｅｓｓ／Ｃｏｌｌｉｓｉｏｎ  Ａｖｏｉｄａｎｃｅ）の無線ＬＡＮシステムにおいて、帰属している端末局の数が多く、基地局のアクセス負荷が大きい場合、予め設定された端末局の判断制御によって帰属先を他の基地局に切替える方法が提案されている（例えば、特許文献１参照）。
【０００４】
また、上記の切替え方法では、端末局が帰属する基地局が、自局が開設しているゾーンの情報を、帰属している端末局及び周辺の基地局に通知するために、それぞれ独立に一定の間隔でビーコン信号を送出し、端末局が帰属する基地局からのビーコン信号及び周辺の基地局からのビーコン信号を受信するようにしている。
【０００５】
【特許文献１】
特開２００２−３５９８６４号公報（第４，５頁、図１）
【０００６】
【発明が解決しようとする課題】
上述した従来の無線ＬＡＮネットワークの構築方法では、端末局で帰属すべき基地局もしくは基地局群のＩＤを設定し、設定した基地局へ帰属するという方法がとられている。その場合、一つのサブネットで複数の基地局、端末局が存在し新たに基地局が設置された時に、各端末局はそれぞれで新規の基地局に接続すべきかを判断し、帰属しなおすという手間が必要である。
【０００７】
そこで、本発明の目的は上記の問題点を解消し、基地局の増設によるネットワークの再構成を自動で行うことができる無線ＬＡＮネットワーク、基地局及びそれに用いる無線ＬＡＮネットワークの構築方法を提供することにある。
【０００８】
【課題を解決するための手段】
本発明による無線ＬＡＮネットワークは、無線ＬＡＮ（Ｌｏｃａｌ  ＡｒｅａＮｅｔｗｏｒｋ）によって構成され、複数の端末局各々が複数の基地局各々に帰属して通信を行う無線ＬＡＮネットワークであって、他の基地局の増設を判断する手段と、前記他の基地局が増設されたと判断した時に前記端末局の帰属状態を解除する手段とを前記基地局に備えている。
【０００９】
本発明による基地局は、無線ＬＡＮ（Ｌｏｃａｌ  Ａｒｅａ  Ｎｅｔｗｏｒｋ）によって構成される無線ＬＡＮネットワークにおいて、複数の端末局各々が帰属して通信を行うための基地局であって、前記無線ＬＡＮネットワークへの他の基地局の増設を判断する手段と、前記他の基地局が増設されたと判断した時に前記端末局の帰属状態を解除する手段とを備えている。
【００１０】
本発明による無線ＬＡＮネットワークの構築方法は、無線ＬＡＮ（ＬｏｃａｌＡｒｅａ  Ｎｅｔｗｏｒｋ）によって構成され、複数の端末局各々が複数の基地局各々に帰属して通信を行う無線ＬＡＮネットワークの構築方法であって、前記基地局側に、他の基地局の増設を判断するステップと、前記他の基地局が増設されたと判断した時に前記端末局の帰属状態を解除するステップとを備えている。
【００１１】
本発明による無線ＬＡＮネットワークの構築方法のプログラムは、無線ＬＡＮ（Ｌｏｃａｌ  Ａｒｅａ  Ｎｅｔｗｏｒｋ）によって構成され、複数の端末局各々が複数の基地局各々に帰属して通信を行う無線ＬＡＮネットワークの構築方法のプログラムであって、コンピュータに、他の基地局の増設を判断する処理と、前記他の基地局が増設されたと判断した時に前記端末局の帰属状態を解除する処理とを実行させている。
【００１２】
すなわち、本発明の無線ＬＡＮネットワークは、無線ＬＡＮ（Ｌｏｃａｌ  Ａｒｅａ  Ｎｅｔｗｏｒｋ）によって構成されたネットワークにおいて、無線ＬＡＮの基地局を増設する際に、増設された基地局を含めた無線ネットワークを再構築するのに簡易な方法を提供するものである。
【００１３】
より具体的に説明すると、本発明の無線ＬＡＮネットワークでは、複数の基地局が同一サブネット上にあり、端末局が複数の基地局各々に帰属して通信を行っている場合に、他の基地局を同じサブネット上に増設した時に、当該基地局から送信されるビーコンを既存の基地局が受信することで、新たに基地局が増えたことを知ると、既存の基地局が一旦、端末局の帰属状態を解除することによって、無線ネットワークを再構築している。
【００１４】
上記のように、本発明の無線ＬＡＮネットワークでは、端末局の帰属を基地局が一旦解除し、端末局が最も受信条件のよい基地局を選んで再度帰属を行うことによって、基地局の増設によるネットワークの再構成を自動で行うことが可能となる。
【００１５】
【発明の実施の形態】
次に、本発明の実施例について図面を参照して説明する。図１は本発明の一実施例による無線ＬＡＮシステムの構成を示すブロック図である。図１において、本発明の一実施例による無線ＬＡＮシステムは基地局（＃１，＃２）１ａ，１ｂと、端末局（＃１〜＃３）２ａ，２ｂ，２ｃと、有線ネットワーク１００とから構成されている。
【００１６】
基地局（＃１，＃２）１ａ，１ｂは同一サブネット上にあり、端末局（＃１〜＃３）２ａ，２ｂ，２ｃがそれぞれ、基地局（＃１，＃２）１ａ，１ｂのいずれかに帰属して通信を行っている。この状態において、基地局（＃３）１ｃが基地局（＃１，＃２）１ａ，１ｂと同じサブネット上に増設された場合、基地局（＃３）１ｃから送信されるビーコンを基地局（＃１，＃２）１ａ，１ｂが受信することで、新たに基地局（＃３）１ｃが増えたことを知った基地局（＃１，＃２）１ａ，１ｂは一旦、端末局（＃１〜＃３）２ａ，２ｂ，２ｃの帰属状態を解除することによって、無線ＬＡＮネットワークの再構築を行う。
【００１７】
図２は図１の基地局の構成を示すブロック図である。図２において、基地局１は基地局マザーボード１０と無線ＬＡＮモジュール１１とを接続して構成されている。基地局マザーボード１０は有線インタフェース１０１を備えており、有線インタフェース１０１と無線ＬＡＮモジュール１１との間のパケットの送受信を制御する。
【００１８】
無線ＬＡＮモジュール１１はＰＣ（パーソナルコンピュータ）インタフェース（ＰＣＩＦ）部１２と、ＭＡＣ（Ｍｅｄｉｕｍ  Ａｃｃｅｓｓ  Ｃｏｎｔｒｏｌ）部１３と、モデム部１４と、ＲＦ（Ｒａｄｉｏ  Ｆｒｅｑｕｅｎｃｙ）部１５と、ＣＰＵ（中央処理装置）部１６と、各部で実行されるプログラム（コンピュータで実行可能なプログラム）を格納する記録媒体１７とから構成されている。
【００１９】
ＰＣインターフェース部１２は基地局マザーボード１０との間で送受信パケットのやりとりを行う。ここで、基地局マザーボード１０は無線ＬＡＮモジュール１１とのインタフェースとして、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）カード、ＰＣＩ（Ｐｅｒｉｐｈｅｒａｌ  Ｃｏｍｐｏｎｅｎｔ  Ｉｎｔｅｒｃｏｎｎｅｃｔ）バス等のＰＣが外部機器を接続するために備えている一般的なインタフェースが使用可能である。
【００２０】
ＭＡＣ部１３は無線の送信受信制御を行う。モデム部１４は無線用の変復調を行う。ＲＦ部１５は無線の送受信部である。ＣＰＵ部１６は記録媒体１７のプログラムを実行することで、上記の各ブロックを制御する。尚、図示していないが、図１の基地局（＃１〜＃３）１ａ，１ｂ，１ｃはこの基地局１と同様の構成となっている。
【００２１】
図３は図１の端末局の構成を示すブロック図である。図３において、端末局２はＰＣ（パーソナルコンピュータ）２０と無線ＬＡＮモジュール２１とを接続して構成されている。
【００２２】
無線ＬＡＮモジュール２１はＰＣインタフェース（ＰＣＩＦ）部２２と、ＭＡＣ部２３と、モデム部２４と、ＲＦ部２５と、ＣＰＵ部２６と、各部で実行されるプログラム（コンピュータで実行可能なプログラム）を格納する記録媒体２７とから構成されている。
【００２３】
ＰＣインターフェース部２２はＰＣ２０との間で送受パケットのやりとりを行う。ここで、ＰＣ２０は無線ＬＡＮモジュール２１とのインタフェースとして、ＰＣＭＣＩＡカード、ＰＣＩバス等のＰＣ２０が外部機器を接続するために備えている一般的なインタフェースが使用可能である。
【００２４】
ＭＡＣ部２３は無線の送信受信制御を行う。モデム部２４は無線用の変復調を行う。ＲＦ部２５は無線の送受信部である。ＣＰＵ部２６は記録媒体２７のプログラムを実行することで、上記の各ブロックを制御する。
【００２５】
図４は図１の基地局（＃１，＃２）１ａ，１ｂの動作を示すフローチャートである。これら図１〜図４を参照して基地局（＃１，＃２）１ａ，１ｂの動作について説明する。
【００２６】
まず、図１に示すように、一つの有線ネットワーク１００のサブネット上に２つの基地局（＃１，＃２）１ａ，１ｂが設置されており、基地局（＃１）１ａに端末局（＃１，＃３）２ａ，２ｃが、基地局（＃２）１ｂに端末局（＃２）２ｂがそれぞれ帰属してネットワークを構成しているものとする。
【００２７】
また、通常、無線ＬＡＮネットワークでは各無線グループを識別するＩＤを予め設定し、各無線グループ毎の区別を行っているが、ここではすべて同じＩＤを使用しているものする。
【００２８】
上記の構成において、基地局（＃３）１ｃ（図１において点線で図示）が新たに接続されて立ち上がったものとする。立ち上がった基地局（＃３）１ｃは一定周期でビーコンを送出する。
【００２９】
基地局（＃３）１ｃから送出されたビーコンは各基地局（＃１，＃２）１ａ，１ｂ、端末局（＃１〜＃３）１ａ，１ｂ，１ｃで受信される。各局で受信されたビーコンは無線ＬＡＮモジュール１１，２１のＭＡＣ部１３，２３で解析され、ＣＰＵ部１６，２６の制御によって処理される。
【００３０】
本実施例において基地局（＃１，＃２）１ａ，１ｂが他の基地局（＃３）１ｃからのビーコンを受信した場合、図４に示すフローにしたがって処理が行われる。まず、基地局（＃１，＃２）１ａ，１ｂは自局で受信するビーコンを各基地局（＃１，＃２）１ａ，１ｂ毎に管理している。
【００３１】
基地局（＃１，＃２）１ａ，１ｂは受信したビーコンが既に登録されている局からのものであれば（図４ステップＳ１）、登録情報のうちの更新すべき情報を更新し（図４ステップＳ２）、処理を終了する。
【００３２】
基地局（＃１，＃２）１ａ，１ｂは、図１に示す基地局（＃３）１ｃのように、新たな基地局のビーコンを受信した場合、一回受信しただけでは登録しないで、まずは新たに受信した基地局一つに対して変数（ｉ）を一つ用意し、ビーコンを受信する度に、変数（ｉ）を一つずつインクリメントしていく（図４ステップＳ３）。
【００３３】
基地局（＃１，＃２）１ａ，１ｂは、予め設定された一定回数（ｎ）以上、同じ基地局からのビーコンを受信すると（図４ステップＳ４）、新たな基地局（＃３）１ｃが設置されたと判断し、その基地局（＃３）１ｃの情報を新規に登録し（図４ステップＳ５）、登録を完了したら帰属している端末局（＃１〜＃３）１ａ，１ｂ，１ｃの帰属を解除する（図４ステップＳ６）。
【００３４】
端末局（＃１〜＃３）１ａ，１ｂ，１ｃでは基地局（＃１，＃２）１ａ，１ｂへの帰属が解除されると、新たに帰属を行おうとする。そのアルゴリズムとしては特定の基地局を選択して帰属するようなものでなく、最も受信電力の高い基地局を選択して帰属するようなものとする。
【００３５】
例えば、端末局（＃１〜＃３）１ａ，１ｂ，１ｃではある一定時間の間に受信するビーコンとその受信電力とを測定し、各基地局（＃１〜＃３）１ａ，１ｂ，１ｃ毎の受信電力の平均値を計算し、その結果が最も高い基地局へ帰属する方法がある。
【００３６】
図１に示す無線ＬＡＮネットワークにおいて、上記のように基地局（＃３）１ｃの存在を基地局（＃１，＃２）１ａ，１ｂが認識すると、端末局（＃１〜＃３）２ａ，２ｂ，２ｃは基地局（＃１，＃２）１ａ，１ｂへの帰属が一旦解除される。
【００３７】
そして、端末局（＃１〜＃３）２ａ，２ｂ，２ｃはそれぞれ新たに帰属を開始する。このネットワークがオープンな空間で、各端末局（＃１〜＃３）２ａ，２ｂ，２ｃは最も近い基地局（＃１〜＃３）１ａ，１ｂ，１ｃからのビーコンを一番大きな電力で受信すると仮定すると、端末局（＃１）２ａは基地局（＃１）１ａに、端末局（＃２）２ｂは基地局（＃２）１ｂに、端末局（＃３）２ｃは基地局（＃３）１ｃにそれぞれ帰属を行い、無線ＬＡＮネットワークの再構築が完了する。
【００３８】
このように、本実施例では、新たに基地局（＃３）１ｃが設置された時に、端末局（＃１〜＃３）２ａ，２ｂ，２ｃの帰属を基地局（＃１，＃２）１ａ，１ｂが一旦解除し、端末局（＃１〜＃３）２ａ，２ｂ，２ｃが最も受信条件のいい基地局を選んで再度帰属を行うことによって、基地局の増設によるネットワークの再構成を自動で行うことができる。
【００３９】
【発明の効果】
以上説明したように本発明は、上記のような構成及び動作とすることで、基地局の増設によるネットワークの再構成を自動で行うことができるという効果が得られる。
【図面の簡単な説明】
【図１】本発明の一実施例による無線ＬＡＮシステムの構成を示すブロック図である。
【図２】図２は図１の基地局の構成を示すブロック図である。
【図３】図１の端末局の構成を示すブロック図である。
【図４】図１の基地局の動作を示すフローチャートである。
【符号の説明】
１，１ａ，１ｂ，１ｃ  基地局
２，２ａ，２ｂ，２ｃ  端末局
１０  基地局
１１，２１  無線ＬＡＮモジュール
１２，２２  ＰＣインタフェース部
１３，２３  ＭＡＣ部
１４，２４  モデム部
１５，２５  ＲＦ部
１６，２６  ＣＰＵ部
１７，２７  記録媒体
２０  ＰＣ
１００  有線ネットワーク
１０１  有線インタフェース
【図１】
2004274100.tif 000003
【図２】
2004274100.tif 000004
【図３】
2004274100.tif 000005
【図４】
2004274100.tif 000006